(57)【要約】【課題】手間をかけずに文書にマーク部を形成することができる画像形成装置を提供する。【解決手段】画像形成装置１００は、画像形成部１と、マーク形成部５と、制御部である第１制御部Ｂ１とを備える。画像形成部１は、画像データに基づいて、記録媒体である用紙Ｐに画像を形成する。マーク形成部５は、画像が形成された用紙Ｐにマーク部Ｍを形成する。第１制御部Ｂ１は、画像データに含まれる目印データに基づいて、用紙Ｐにマーク部Ｍを形成するようにマーク形成部５を制御する。マーク部Ｍは、画像が形成された用紙Ｐが真正であることを示す。目印データは目印画像Ｔを示すデータである。目印画像Ｔはマーク部Ｍを用紙Ｐに形成する位置を示す画像である。【選択図】図３
2020029049.tif 000002
【特許請求の範囲】
【請求項１】
画像データに基づいて、記録媒体に画像を形成する画像形成部と、
前記画像が形成された前記記録媒体にマーク部を形成するマーク形成部と、
前記画像データに含まれる目印データに基づいて、前記記録媒体に前記マーク部を形成するように前記マーク形成部を制御する制御部と
を備え、
前記マーク部は、前記画像が形成された前記記録媒体が真正であることを示し、
前記目印データは目印画像を示すデータであり、
前記目印画像は前記マーク部を前記記録媒体に形成する位置を示す画像である、画像形成装置。
【請求項２】
前記制御部は、
ユーザーが、予め登録された対象ユーザーであるか否かを判定し、
前記対象ユーザーであると判定した場合には、前記マーク部を前記記録媒体に形成するように前記マーク形成部を制御し、
前記対象ユーザーは、画像形成装置の管理者が前記マーク部の形成を許可したユーザーを示す、請求項１に記載の画像形成装置。
【請求項３】
前記画像形成部が、前記マーク部が形成される日付を前記記録媒体に形成する、請求項１又は請求項２に記載の画像形成装置。
【請求項４】
前記マーク部が印影である、請求項１から請求項３のいずれか１項に記載の画像形成装置。
【請求項５】
前記マーク部が浮き出し模様である、請求項１から請求項３のいずれか１項に記載の画像形成装置。
【請求項６】
前記マーク部がシールである、請求項１から請求項３のいずれか１項に記載の画像形成装置。
【発明の詳細な説明】
【技術分野】
【０００１】
本発明は、画像形成装置に関する。
【背景技術】
【０００２】
近年、業務の合理化のために、文書の多くは電子ファイルとして作成されている。電子ファイルは、改ざんが容易である。電子ファイルが、改ざんされていないこと、言い換えると、真正であることを証明するため、電子印鑑装置が利用されている。
【０００３】
例えば、特許文献１の電子印鑑装置は、公開鍵暗号方式を利用する電子印鑑により、電子ファイルが真正であることを証明している。特許文献１の電子印鑑装置は、電子ファイルの一部が変更された場合、変更部分を検出し、変更部分の電子印鑑を削除する。
【先行技術文献】
【特許文献】
【０００４】
【特許文献１】特開２００５−３０９９７３号公報
【発明の概要】
【発明が解決しようとする課題】
【０００５】
しかしながら、一部の文書は、電子印鑑では真正であることを証明できない。例えば、卒業証明書、資格証明書、契約書、及び取締役会の議事録は、印影、浮き出し模様、シール等のマーク部を文書に形成することによって、文書が真正であること証明することが要求されている。マーク部の形成は、人手によって行われる。マーク部を形成する文書の数が多ければ、多くの手間がかかる。
【０００６】
本発明は、上記課題に鑑みてなされたものであり、手間をかけずに文書にマーク部を形成することができる画像形成装置を提供することを目的とする。
【課題を解決するための手段】
【０００７】
本発明に係る画像形成装置は、画像形成部と、マーク形成部と、制御部とを備える。前記画像形成部は、画像データに基づいて、記録媒体に画像を形成する。前記マーク形成部は、前記画像が形成された前記記録媒体にマーク部を形成する。前記制御部は、前記画像データに含まれる目印データに基づいて、前記記録媒体に前記マーク部を形成するように前記マーク形成部を制御する。前記マーク部は、前記画像が形成された前記記録媒体が真正であることを示す。前記目印データは目印画像を示すデータである。前記目印画像は前記マーク部を記録媒体に形成する位置を示す画像である。
【発明の効果】
【０００８】
本発明の画像形成装置によれば、手間をかけずに文書にマーク部を形成することができる。
【図面の簡単な説明】
【０００９】
【図１】本発明の実施形態に係る画像形成装置の構成を示す図である。
【図２】（ａ）は、第１用紙を示す図である。（ｂ）は、第２用紙を示す図である。
【図３】本発明の実施形態に係る画画像形成装置の構成を示すブロック図である。
【図４】本発明の実施形態に係る画像形成装置に、マーク部と、対象ユーザーとが登録されるまでの動作を示すフローチャートである。
【図５】本発明の実施形態に係る画像形成装置が印刷ジョブを完了するまでの動作を示すフローチャートである。
【図６】管理者端末の表示装置に表示されるマーク部登録画面を示す図である。
【図７】管理者端末の表示装置に表示される対象ユーザー設定画面を示す図である。
【図８】ユーザー端末の表示装置に表示されるエラー画面を示す図である。
【発明を実施するための形態】
【００１０】
以下、本発明の実施形態について、図面を参照しながら説明する。なお、図中、同一又は相当部分については同一の参照符号を付して説明を省略する。
【００１１】
まず、図１を参照して、本発明の実施形態に係る画像形成装置１００を説明する。図１は、本実施形態に係る画像形成装置１００の構成を示す図である。図１に示すように、画像形成装置１００は、装置本体Ａ１と、後処理装置Ａ２とを備える。
【００１２】
装置本体Ａ１は、用紙Ｐに画像を形成（印刷）する。装置本体Ａ１は、例えば、複合機である。装置本体Ａ１は、画像形成部１と、読取部２と、原稿搬送部３と、操作部４と、第１制御部Ｂ１と、第１通信部Ｔ１とを備える。
【００１３】
画像形成部１は、用紙Ｐに画像を形成する。画像形成部１は、給紙ユニット１１と、複数の搬送ローラー１２、１３と、画像形成ユニット１４と、排出ユニット１５とを備える。また、画像形成部１は、第１搬送路Ｃ１、及び第２搬送路Ｃ２を備える。
【００１４】
給紙ユニット１１は用紙Ｐを収容して、画像形成ユニット１４に給紙する。給紙ユニット１１は、給紙カセット１１１と、給紙ローラー１１２と、手差しトレイ１１３と、給送ローラー１１４とを有する。
【００１５】
給紙カセット１１１は、用紙Ｐを収容する。給紙ローラー１１２は、給紙カセット１１１から用紙Ｐを送出する。手差しトレイ１１３は、用紙Ｐが載置される。給送ローラー１１４は、手差しトレイ１１３に載置された用紙Ｐを送出する。用紙Ｐは記録媒体の一例である。
【００１６】
複数の搬送ローラー１２は、給紙ローラー１１２によって送出された用紙Ｐを、画像形成ユニット１４に送出する。複数の搬送ローラー１２は、第１搬送路Ｃ１に沿って配置される。
【００１７】
複数の搬送ローラー１３は、給送ローラー１１４によって送出された用紙Ｐを、画像形成ユニット１４に送出する。複数の搬送ローラー１３は、第２搬送路Ｃ２に沿って配置される。
【００１８】
画像形成ユニット１４は、用紙Ｐに画像を形成する。画像形成ユニット１４は、感光体ドラム１４１と、帯電装置１４２と、露光装置１４３と、現像装置１４４と、転写ローラー１４５と、クリーニング装置１４６と、定着装置１４７とを有する。
【００１９】
帯電装置１４２は、感光体ドラム１４１を所定の電位に帯電させる。露光装置１４３は、画像データに基づきレーザー光を出力して感光体ドラム１４１を露光することで、画像データに応じた静電潜像を感光体ドラム１４１上に形成する。
【００２０】
現像装置１４４は、感光体ドラム１４１上の静電潜像にトナーを供給して現像し、感光体ドラム１４１上にトナー像を形成する。転写ローラー１４５は、感光体ドラム１４１上のトナー像を用紙Ｐに転写する。
【００２１】
クリーニング装置１４６は、転写後に感光体ドラム１４１に残留する残留トナーを除去する。定着装置１４７は、加圧及び加熱によって、トナー像を用紙Ｐに定着させる。
【００２２】
排出ユニット１５は、画像が形成された用紙Ｐを装置本体Ａ１の外部に排出する。排出ユニット１５は、第１排出ローラー１５１と、第１排出トレイ１５２と、出力ローラー１５３とを有する。排出ユニット１５は、第１排出ローラー１５１を介して、画像が形成された用紙Ｐを第１排出トレイ１５２に排出する。排出ユニット１５は、画像が形成された用紙Ｐを、出力ローラー１５３によって後処理装置Ａ２に出力する。
【００２３】
読取部２は、原稿の画像を読み取って、原稿の画像を示す画像データを生成する。読取部２は、光源、ミラー、集光レンズ、及び撮像装置を有する。読取部２は、光源から原稿に光を照射し、原稿で反射した光をミラーで反射して集光レンズで集光し、集光した光を撮像装置で電気信号に変える。読取部２は、電気信号を第１制御部Ｂ１に送信する。
【００２４】
原稿搬送部３は、原稿を画像読取装置に搬送する。原稿搬送部３は、原稿載置トレイ、原稿搬送装置、及び原稿排出トレイを有する。原稿搬送装置は、原稿載置トレイに載置された原稿を１枚ずつ原稿排出トレイまで、読取部２の読取位置を経由するように搬送する。
【００２５】
操作部４は、ユーザーへの各種メッセージを表示する。操作部４は、ユーザーからの指示を受け付ける。操作部４は、タッチディスプレー４１を有する。
【００２６】
タッチディスプレー４１は、ディスプレー、及びタッチセンサーを有する。ディスプレーは、各種メッセージを含む画面を表示する。ディスプレーは、例えば、液晶ディスプレー又は有機ＥＬ（Ｅｌｅｃｔｒｏ  Ｌｕｍｉｎｅｓｃｅｎｃｅ）ディスプレーである。タッチセンサーは、被検知体によるタッチを検知する。タッチセンサーは、被検知体によるタッチを検知した位置を示すタッチ信号を出力する。被検知体は、例えば、ユーザーの手指である。タッチセンサーは、例えば、抵抗膜方式のタッチセンサーである。
【００２７】
第１制御部Ｂ１は、画像形成部１が備える各部の動作を制御する。第１制御部Ｂ１は、プロセッサー、及び記憶部を備える。プロセッサーは、例えばＣＰＵ（Ｃｅｎｔｒａｌ  Ｐｒｏｃｅｓｓｉｎｇ  Ｕｎｉｔ）を備える。記憶部は、半導体メモリーのようなメモリーを備える。記憶部は、ＨＤＤ（Ｈａｒｄ  Ｄｉｓｋ  Ｄｒｉｖｅ）を備えてもよい。記憶部は、制御プログラムを記憶している。プロセッサーは、制御プログラムを実行することによって、装置本体Ａ１の動作を制御する。
【００２８】
第１通信部Ｔ１は、有線通信又は無線通信によって、装置本体Ａ１と後処理装置Ａ２との間で情報を送受信する。第１通信部Ｔ１は、外部の情報処理装置、例えば、パーソナルコンピューターとの間でも情報を送受信する。
【００２９】
有線通信の方式は、特に限定されない。有線通信の方式は、例えば、ＬＡＮ（Ｌｏｃａｌ  Ａｒｅａ  Ｎｅｔｗｏｒｋ）、及びＵＳＢ（Ｕｎｉｖｅｒｓａｌ  Ｓｅｒｉａｌ  Ｂｕｓ）のようなケーブルを用いる通信方式である。
【００３０】
無線通信の方式は、特に限定されない。無線通信の方式は、例えば、無線ＬＡＮ、及びＢｌｕｅｔｏｏｔｈ（登録商標）のような無線通信方式である。
【００３１】
後処理装置Ａ２は、画像が形成された用紙Ｐを装置本体Ａ１から受け取る。後処理装置Ａ２は、装置本体Ａ１から受け取った用紙Ｐに対して、マーク部を形成する。具体的には、後処理装置Ａ２は、押印によって印影を形成する。後処理装置Ａ２は、エンボス加工によって浮き出し模様を形成する。後処理装置Ａ２は、シールを貼り付ける。
【００３２】
後処理装置Ａ２は、マーク形成部５と、排出部６と、第２制御部Ｂ２と、第２通信部Ｔ２とを備える。また、後処理装置Ａ２は、第３搬送路Ｃ３を備える。
【００３３】
マーク形成部５は、画像が形成された用紙Ｐにマーク部を形成する。マーク形成部５は、押印装置５１と、エンボス装置５２と、貼付装置５３と、複数の搬送ローラー５４とを有する。押印装置５１、エンボス装置５２、貼付装置５３、及び複数の搬送ローラー５４は、第３搬送路Ｃ３に沿って配置される。
【００３４】
押印装置５１は、用紙Ｐに押印して、マーク部としての印影を用紙Ｐに形成する。具体的には、押印装置５１は、スタンプと、供給機構と、押印機構とを有する。スタンプは、用紙Ｐが真正な文書であることを示す印影を形成する。供給機構はスタンプに印影の形成に必要なインクを供給する。押印機構は、スタンプを用紙Ｐに押し付けて、印影を用紙Ｐに形成する。
【００３５】
エンボス装置５２は、用紙Ｐにエンボス加工を施して、マーク部としての浮き出し模様を形成する。具体的には、エンボス装置５２は、雄型と、雌型と、加圧機構とを有する。雄型、及び雌型は、浮き出し模様を形成するための型である。加圧機構は、雄型と雌型との間に用紙Ｐを挟み込んで、雄型と雌型とを加圧し、浮き出し模様を用紙Ｐに形成する。
【００３６】
貼付装置５３は、用紙Ｐにシールを貼り付けて、マーク部としてのシールを形成する。シールは粘着剤を含む糊面を有している。糊面の粘着性能を維持するため、シールは剥離紙に貼り付けられている。剥離紙は細長いテープ状である。複数のシールが、１つの剥離紙に一定の間隔で一列に貼り付けられる。
【００３７】
糊面と対向するシールの面は、保持テープによって覆われている。シールと保持テープとの間の粘着力は、シールと剥離紙との間の粘着力と比べて弱い。そのため、シールの糊面が用紙Ｐに貼り付けば、シールと保持テープとは容易に分離する。保持テープと、シールと、剥離紙とからなる三層構造体は、剥離紙が外側になるように、ロール状に巻き取られる。
【００３８】
貼付装置５３は、パッドと、駆動ユニットと、供給リールと、分離ローラーと、剥離紙回収リールと、保持テープ回収リールとを有する。パッドは、三層構造体を保持テープ側から押して、シールを用紙Ｐに貼り付ける。駆動ユニットはパットを上下させる。供給リールは、シールの糊面が用紙Ｐと対向するように、三層構造体をパットの下に供給する。分離ローラーは、三層構造体から剥離紙だけを分離する。剥離紙回収リールは、三層構造体から分離された剥離紙を巻き取って回収する。保持テープ回収リールは、シールと分離した保持テープを巻き取って回収する。
【００３９】
シールは次のようにして用紙Ｐに貼り付けられる。三層構造体が、剥離紙が用紙Ｐと対向するように配置される。分離ローラーが、三層構造体から剥離紙を分離する。分離された剥離紙は、剥離紙回収ローラーが回収する。その結果、シールの糊面と用紙Ｐとが対向する。駆動ユニットが、パッドを下降させる。パッドが保持テープの上からシールを用紙Ｐに押し付ける。シールが用紙Ｐに貼り付く。駆動ユニットが上昇して、シールと保持テープとが分離し、パットと保持テープとが分離する。保持テープ回収ローラーが、残った保持テープを回収する。
【００４０】
複数の搬送ローラー５４は、装置本体Ａ１から出力された用紙Ｐを排出部６まで搬送する。複数の搬送ローラー５４は第３搬送路Ｃ３に沿って配置されている。
【００４１】
排出部６は、画像、及び／又はマーク部が形成された用紙Ｐを後処理装置Ａ２の外部に排出する。排出部６は、第２排出ローラー６１と、第２排出トレイ６２とを有する。排出部６は、第２排出ローラー６１を介して、画像、及び／又はマーク部が形成された用紙Ｐを第２排出トレイ６２に排出する。
【００４２】
第２制御部Ｂ２は、後処理装置Ａ２が備える各部の動作を制御する。第２制御部Ｂ２は、プロセッサー及び記憶部を備える。プロセッサーは、例えばＣＰＵ（Ｃｅｎｔｒａｌ  Ｐｒｏｃｅｓｓｉｎｇ  Ｕｎｉｔ）を備える。記憶部は、半導体メモリーのようなメモリーを備え、ＨＤＤ（Ｈａｒｄ  Ｄｉｓｋ  Ｄｒｉｖｅ）を備えてもよい。記憶部は、制御プログラムを記憶している。プロセッサーは、制御プログラムを実行することによって、後処理装置Ａ２の動作を制御する。
【００４３】
第２通信部Ｔ２は、有線通信又は無線通信によって、装置本体Ａ１と後処理装置Ａ２との間で情報を送受信する。有線通信の方式又は無線通信の方式は、第１通信部Ｔ１と同一であればよく、特に限定されない。
【００４４】
次に、図２〜図８を参照して、画像形成装置１００の構成について更に説明する。図２（ａ）は、第１用紙Ｐ１を示す図である。図２（ｂ）は、第２用紙Ｐ２を示す図である。
【００４５】
図２（ａ）に示すように、第１用紙Ｐ１は、文章Ｃと、日付Ｄと、目印画像Ｔとを含んでいる。文章Ｃは、用紙Ｐの内容である。例えば、用紙Ｐが契約書である場合、文章Ｃは契約内容、及び契約者の氏名を記載した文章である。日付Ｄは、マーク部Ｍが形成される日付である。目印画像Ｔは、マーク部Ｍが形成される位置を示す画像である。マーク部Ｍについては、図２（ｂ）を参照して後に説明する。
【００４６】
図２（ａ）と図２（ｂ）とが示すように、第２用紙Ｐ２は、マーク部Ｍが形成されているか否かにおいてのみ第１用紙Ｐ１と異なる。図２に示すマーク部Ｍは、第２用紙Ｐ２が真正であることを示すシールである。
【００４７】
次に、図３を参照して、本実施形態に係る画像形成装置１００の構成について説明する。図３は、本実施形態に係る画像形成装置１００の構成を示すブロック図である。
【００４８】
図３に示すように、装置本体Ａ１と後処理装置Ａ２とは、第１通信部Ｔ１と第２通信部Ｔ２とを介して、情報の送受信が可能である。なお、第１制御部Ｂ１は、第１通信部Ｔ１、第２通信部Ｔ２、及び第２制御部Ｂ２を介して、後処理装置Ａ２の各部を制御できる。
【００４９】
また、装置本体Ａ１は、ネットワークＮを介して、パーソナルコンピューター（ＰＣ：Ｐｅｒｓｏｎａｌ  Ｃｏｍｐｕｔｅｒ）である管理者端末ＰＣ２００と情報の送受信が可能である。装置本体Ａ１は、ネットワークＮを介して、パーソナルコンピューターであるユーザー端末ＰＣ３００と情報の送受信が可能である。
【００５０】
装置本体Ａ１は、管理者端末ＰＣ２００から、用紙Ｐに形成するマーク部Ｍを登録される。装置本体Ａ１は、管理者端末ＰＣ２００から、対象ユーザーを登録される。対象ユーザーは、画像形成装置１００の管理者がマーク部Ｍの形成を許可したユーザーを示す。対象ユーザーは、例えば、大学の学長、企業の取締役のような組織の代表権を有する者である。
【００５１】
装置本体Ａ１は、ユーザー端末ＰＣ３００から画像データを受信できる。装置本体Ａ１は、受信した画像データに基づいて、用紙Ｐに画像を形成する。装置本体Ａ１は、受信した画像データに目印画像Ｔを示す目印データが含まれている場合、画像形成した用紙Ｐにマーク部Ｍを形成する。
【００５２】
ネットワークＮは、例えば、インターネット、ＬＡＮ（Ｌｏｃａｌ  Ａｒｅａ  Ｎｅｔｗｏｒｋ）、又はＷＡＮ（Ｗｉｄｅ  Ａｒｅａ  Ｎｅｔｗｏｒｋ）である。ネットワークＮでは、ＳＳＬ（Ｓｅｃｕｒｅ  Ｓｏｃｋｅｔｓ  Ｌａｙｅｒ）による暗号化通信が行われてもよい。
【００５３】
次に、図４〜図５を参照して、発明の実施形態に係る画像形成装置１００の処理について説明する。図４は、画像形成装置１００に、マーク部Ｍ、及び対象ユーザーが登録されるまでの動作を示すフローチャートである。
【００５４】
図４に示す動作は、画像形成装置１００の管理者が、ＰＣ２００から画像形成装置１００にアクセスすることによって開始する。
【００５５】
ステップＳ１０１において、管理者が、管理者ＩＤと管理者パスワードとを使用して、ＰＣ２００から画像形成装置１００にログインする。画像形成装置１００は、ＰＣ２００の表示装置にマーク部登録画面Ｇ１を表示する。マーク部登録画面Ｇ１については、図６を参照して後に説明する。動作はステップＳ１０２に進む。
【００５６】
ステップＳ１０２において、マーク部登録画面Ｇ１の表示中に、管理者は、マーク部Ｍの登録に必要な情報を入力する。管理者が入力した情報は、第１制御部Ｂ１の記憶部に登録される。動作はステップＳ１０３に進む。
【００５７】
ステップＳ１０３において、画像形成装置１００は、ＰＣ２００の表示装置に対象ユーザー設定画面Ｇ２を表示する。対象ユーザー設定画面Ｇ２については、図７を参照して後に説明する。動作はステップＳ１０４に進む。
【００５８】
ステップＳ１０４において、対象ユーザー設定画面Ｇ２の表示中に、管理者は、対象ユーザーの登録に必要な情報を入力する。管理者が入力した情報は、第１制御部Ｂ１の記憶部に登録される。画像形成装置１００に、マーク部Ｍ、及び対象ユーザーが登録されたので、図４に示す動作は完了する。
【００５９】
図５は、本実施形態に係る画像形成装置１００が印刷ジョブを完了するまでの動作を示すフローチャートである。図５に示す動作は、ユーザーがＰＣ３００から画像形成装置１００にアクセスすることによって開始する。ユーザーが画像形成装置１００にアクセスすると、ＰＣ３００の表示装置にログイン画面が表示される。
【００６０】
ステップＳ２０１において、ログイン画面表示中に、ユーザーがユーザー名とパスワードとを入力すると、第１制御部Ｂ１がユーザーをログイン処理する。動作はステップＳ２０２に進む。
【００６１】
ステップＳ２０２において、ユーザーがＰＣ２００から画像形成装置１００に画像データを送信する。画像形成装置１００が画像データを受信する。動作はステップＳ２０３に進む。
【００６２】
ステップＳ２０３において、画像データが目印データを含んでいるか否かを第１制御部Ｂ１が判定する。目印データを含んでいると第１制御部Ｂ１が判定した場合（ステップＳ２０３のＹｅｓ）は、動作はステップＳ２０４に進む。目印データを含んでいないと第１制御部Ｂ１が判定した場合（ステップＳ２０３のＮｏ）は、動作はステップＳ２１１に進む。
【００６３】
ステップＳ２０４において、ユーザーが対象ユーザーであるか否かを第１制御部Ｂ１が判定する。対象ユーザーであると第１制御部Ｂ１が判定した場合（ステップＳ２０４のＹｅｓ）は、動作はステップＳ２０５に進む。対象ユーザーでないと第１制御部Ｂ１が判定した場合（ステップＳ２０４のＮｏ）は、動作はステップＳ２２１に進む。
【００６４】
ステップＳ２０５において、画像データが示す画像を用紙Ｐに形成するように、第１制御部Ｂ１が画像形成部１を制御する。動作はステップＳ２０６に進む。
【００６５】
ステップＳ２０６において、マーク部Ｍを用紙Ｐに形成するように、第１制御部Ｂ１がマーク形成部５を制御する。具体的には、貼付装置５３がマーク部Ｍであるシールを用紙Ｐに貼り付ける。動作はステップＳ２０７に進む。
【００６６】
ステップＳ２１１において、画像データが示す画像を用紙Ｐに形成するように、第１制御部Ｂ１が画像形成部１を制御する。動作はステップＳ２０７に進む。
【００６７】
ステップＳ２２１において、第１制御部Ｂ１が、ＰＣ２００の表示装置にエラー画面Ｇ３を表示する。エラー画面Ｇ３については、図８を参照して後に説明する。動作はステップＳ２２２に進む。
【００６８】
ステップＳ２２２において、エラー画面Ｇ３の表示中に、ユーザーの選択にしたがって、マーク部Ｍを形成せずに印刷ジョブを実行するか否かを第１制御部Ｂ１が判定する。印刷ジョブを実行すると第１制御部Ｂ１が判定した場合（ステップＳ２２２のＹｅｓ）は、動作はステップＳ２２３に進む。印刷ジョブを実行しないと第１制御部Ｂ１が判定した場合（ステップＳ２２２のＮｏ）は、動作はステップＳ２０７に進む。
【００６９】
ステップＳ２２３において、画像を用紙Ｐに形成するように、第１制御部Ｂ１が画像形成部１を制御する。動作はステップＳ２０７に進む。
【００７０】
ステップＳ２０７において、ユーザーがＰＣ３００を介して画像形成装置１００にログアウト処理すると、第１制御部Ｂ１がユーザーをログアウト処理する。
【００７１】
次に、図６〜図８を参照して、管理者端末ＰＣ２００、及びユーザー端末ＰＣ３００の表示装置に表示される操作画面を説明する。図６は、マーク部登録画面Ｇ１を示す。マーク部登録画面Ｇ１は、画像形成装置１００の管理者がマーク部Ｍを登録する際に、管理者端末ＰＣ２００の表示装置に表示される画面である。
【００７２】
図６に示すように、マーク部登録画面Ｇ１は、マーク部欄Ｇ１１と、方法欄Ｇ１２と、位置欄Ｇ１３と、日付欄Ｇ１４と、目印画像欄Ｇ１５と、「登録」キーＧ１６と、「キャンセル」キーＧ１７とを表示する。「登録」キーＧ１６、及び「キャンセル」キーＧ１７は、ソフトキーである。
【００７３】
マーク部欄Ｇ１１は、用紙Ｐに形成されるマーク部Ｍを表示する欄である。
【００７４】
方法欄Ｇ１２は、マーク部Ｍの形成方法を設定する欄である。方法欄Ｇ１２は、ドロップダウンリストＧ１２１を表示する。ドロップダウンリストＧ１２１は、マーク部Ｍの形成方法を示す。図６の方法欄Ｇ１２は、マーク部Ｍの形成方法として「シールを貼り付ける。」が選択されていることを示す。
【００７５】
位置欄Ｇ１３は、マーク部Ｍの形成位置を設定する欄である。位置欄Ｇ１３は、ドロップダウンリストＧ１３１と、記入欄１３２とを表示する。ドロップダウンリストＧ１３１は、目印画像Ｔの形成位置とマーク部Ｍの形成位置との位置関係を設定する欄である。記入欄１３２は、目印画像Ｔの形成位置とマーク部Ｍの形成位置との間の距離を記入する欄である。図６の位置欄Ｇ１３は、「目印画像の上端」から「１０ｍｍ」の位置にマーク部Ｍが形成されることを示す。
【００７６】
日付欄Ｇ１４は、マーク部Ｍを形成する日付Ｄを用紙Ｐに画像形成するか否かを選択する欄である。日付欄Ｇ１４は、チェックボックスＧ１４１を表示する。チェックボックスＧ１４１は、マーク部Ｍを形成する用紙Ｐにマーク部Ｍを形成する日付Ｄを記載するか否かを選択するチェックボックスである。図６の日付欄Ｇ１４は、日付Ｄを用紙Ｐに画像形成することを示す。
【００７７】
目印画像欄Ｇ１５は、目印画像Ｔを設定する欄である。目印画像欄Ｇ１５は、目印画像表示欄Ｇ１５１と、ファイル名表示欄Ｇ１５２と、「変更」キーＧ１５３とを表示する。目印画像表示欄Ｇ１５１は、目印画像Ｔを表示する欄である。ファイル名表示欄Ｇ１５２は、目印画像Ｔを示すファイル名を表示する欄である。「変更」キーＧ１５３は、目印画像Ｔを変更する際に使用するキーである。「変更」キーＧ１５３はソフトキーである。
【００７８】
図６の目印画像欄Ｇ１５は、目印画像Ｔが目印画像表示欄Ｇ１５１に示される画像であることを示す。図６の目印画像欄Ｇ１５は、目印画像Ｔが、ファイル名表示欄Ｇ１５２に示されるファイル名で保存されていることを示す。
【００７９】
ユーザーが「登録」キーＧ１６を押した場合、マーク部Ｍ、及び目印画像Ｔが画像形成装置１００の第１制御部Ｂ１の記憶部に記憶される。反対に、「キャンセル」キーＧ１７を押した場合、マーク部Ｍ、及び目印画像Ｔは画像形成装置１００の第１制御部Ｂ１の記憶部に記憶されない。
【００８０】
図７は、対象ユーザー設定画面Ｇ２を示す。対象ユーザー設定画面Ｇ２は、画像形成装置１００の管理者がマーク部Ｍの対象ユーザーを設定する際に、管理者端末ＰＣ２００の表示装置に表示される画面である。
【００８１】
図７に示すように、対象ユーザー設定画面Ｇ２は、マーク欄Ｇ２１と、ユーザー欄Ｇ２２と、「登録」キーＧ２３と、「キャンセル」キーＧ２４とを表示する。「登録」キーＧ２３、及び「キャンセル」キーＧ２４は、ソフトキーである。
【００８２】
マーク欄Ｇ２１は、用紙Ｐに形成されるマーク部Ｍを表示する欄である。
【００８３】
ユーザー欄Ｇ２２は、対象ユーザーを入力する欄である。ユーザー欄Ｇ２２は、ユーザー名欄Ｇ２２１と、パスワード欄Ｇ２２２とを表示する。ユーザー名欄Ｇ２２１は、対象ユーザーとして登録されるユーザーのユーザー名を記入する欄である。パスワード欄Ｇ２２２は、対象ユーザーとして登録されるユーザーのパスワードを記入する欄である。図７のユーザー欄Ｇ２２は、ユーザー名である「Ｙａｍａｄａ」と、パスワードである「２５６１３５」とが入力されたことを示す。
【００８４】
ユーザーが「登録」キーＧ２３を押した場合、対象ユーザーが画像形成装置１００の第１制御部Ｂ１の記憶部に記憶される。反対に、ユーザーが「キャンセル」キーＧ２４を押した場合、対象ユーザーは画像形成装置１００の第１制御部Ｂ１の記憶部に記憶されない。
【００８５】
図８はエラー画面Ｇ３を示す。エラー画面Ｇ３は、ユーザーが画像形成装置１００の対象ユーザーに含まれていないときに、ユーザー端末ＰＣ３００の表示装置に表示される画像である。
【００８６】
図８に示すように、エラー画面Ｇ３は、エラー表示Ｇ３１と、「はい」キーＧ３２と、「いいえ」キーＧ３３とを表示する。「はい」キーＧ３２、及び「いいえ」キーＧ３３は、ソフトキーである。
【００８７】
エラー表示Ｇ３１は、ユーザーが対象ユーザーではないので、用紙Ｐにマーク部Ｍを形成できないことを表示している。また、エラー表示Ｇ３１は、マーク部Ｍを形成せず画像データを画像形成（出力）するか否かを尋ねている。
【００８８】
ユーザーが「はい」キーＧ３２を押した場合、用紙Ｐに画像だけを形成するように、第１制御部Ｂ１が画像形成部１、及びマーク形成部５を制御する。反対に、ユーザーが「いいえ」キーＧ３３を押した場合、用紙Ｐを出力しないように、第１制御部Ｂ１が画像形成部１、及びマーク形成部５を制御する。
【００８９】
図１〜図８を参照して説明したように、本実施形態では、ユーザーが対象ユーザーであり、且つ画像データが目印データを含んでいる場合には、用紙Ｐに画像、及びマーク部Ｍを形成する。したがって、真正であることを証明したい文書に、手間をかけずにマーク部Ｍを形成することができる。
【００９０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９１】
（１）図１〜図８を参照して説明したように、本発明の実施形態では、画像形成装置１００がカラー複合機であるが、本発明はこれに限定されない。例えば、画像形成装置１００がモノクロ複合機でもよいし、画像形成装置１００がカラープリンター、又はモノクロプリンターでもよい。
【００９２】
（２）図１〜図８を参照して説明したように、本発明の実施形態では、画像形成装置１００は、電子写真方式の複合機であったが、本発明はこれに限定されない。画像形成装置１００は、例えば、インクジェット記録方式の複合機であってもよい。
【００９３】
（３）図１〜図８を参照して説明したように、本発明の実施形態では、画像形成装置１００は、装置本体Ａ１と後処理装置Ａ２に分離していたが、本発明はこれに限定されない。画像形成装置１００は、例えば、同一の筐体に収容されていてもよい。
【００９４】
（４）図１〜図８を参照して説明したように、本発明の実施形態では、画像形成装置１００は、画像形成した用紙Ｐにシールを貼り付けたが、本発明はこれに限定されない。画像形成装置１００は、画像形成した用紙Ｐに押印してもよく、画像形成した用紙Ｐに浮き出し模様を形成してもよい。また、画像形成装置１００は、複数のマーク部Ｍを形成してもよい。例えば、押印とシールとの２つのマーク部Ｍを形成してもよい。
【産業上の利用可能性】
【００９５】
本発明は、画像形成装置の分野に利用可能である。
【符号の説明】
【００９６】
１      画像形成部
２      読取部
３      原稿搬送部
４      操作部
５      マーク形成部
１００  画像形成装置
Ａ１    装置本体
Ａ２    後処理装置
Ｂ１    第１制御部
Ｂ２    第２制御部
Ｍ      マーク部
Ｐ      用紙
Ｔ      目印画像
Ｔ１    第１通信部
Ｔ２    第２通信部
【図１】
2020029049.tif 000003
【図２】
2020029049.tif 000004
【図３】
2020029049.tif 000005
【図４】
2020029049.tif 000006
【図５】
2020029049.tif 000007
【図６】
2020029049.tif 000008
【図７】
2020029049.tif 000009
【図８】
2020029049.tif 000010